(57)【要約】      （修正有）【課題】高額な投資を低減し、保守メンテナンスを容易にし、中小企業においても投資、ならびに保守可能なシンクライアント・サーバーを提供する。【解決手段】シンクライアント・サーバーは、ノートパソコン、タブレットなどの電池を内装する複数の携帯端末と電池を搭載しない複数のミニパソコンなどを簡易サーバーＴＳＶとして収納し、収納する端末への給電電流をそれぞれ計測して、給電電流の合計が本サーバーに許容されるブレーカー遮断容量を超えるか否かを監視して、合計電流がブレーカー遮断容量を超えない範囲に給電する端末を制限する機能、電池を内装する携帯端末に対して端末へのそれぞれの給電電流から端末の電池残量を判定して残量不足の携帯端末に対して自動的または強制的に充電を行う機能ＣＣ、クライアント端末とネットワーク接続するためのＬＡＮ接続手段ＬＮ、ならびに盗難を防ぐ施錠ＫＹやアンカー固定などのセキュリティ機能を備える。【選択図】図１
0003234735.tif 000002
【実用新案登録請求の範囲】
【請求項１】
テレワークの拡大に伴い企業が構築するシンクライアント環境に適用するシンクライアント・サーバーに関して、ノートパソコン、タブレットなどの電池を内装する複数の携帯端末と電池を搭載しない複数のミニパソコンなどを簡易サーバーとして収納し、収納する端末への給電電流をそれぞれ計測して、給電電流の合計が本サーバーに許容されるブレーカー遮断容量を超えるか否かを監視して、合計電流がブレーカー遮断容量を超えない範囲に給電する端末を制限する機能、電池を内装する携帯端末に対して端末へのそれぞれの給電電流から端末の電池残量を判定して残量不足の携帯端末に対して自動的または強制的に充電を行う機能、クライアント端末とネットワーク接続するためのＬＡＮ接続手段、ならびに盗難を防ぐ施錠やアンカー固定などのセキュリティ機能を備えるシンクライアント・サーバー。
【考案の詳細な説明】
【技術分野】
【０００１】コロナ対策によるテレワークの拡大に伴いシンクライアント環境を導入する企業が急速に増えていますが、シンクライアントを導入するためにはシンクライアント対応のシンクライアント・サーバーが必要になり、専用サーバーを設置する場合は高額な投資が必要となるため導入を躊躇する中小企業も多いため、低額な簡易サーバーによりテレワークの普及を促進する。
【背景技術】
【０００２】シンクライアント・サーバーに繋がるクライアント端末数が多くなる業務用のシンクライ環境は専用サーバーを採用する場合が殆どですが、専用サーバーは高額であり保守メンテナンスの難易度も高いなどの理由によって導入を躊躇する中小企業が多く、シンクライント環境の普及が進みにくい傾向が有ります。
【考案が解決しようとする課題】
【０００３】シンクライアント・サーバーを設置する場合に高額な投資を低減し、保守メンテナンスを容易にする事によって、中小企業においても投資、ならびに保守可能なシンクライアント対応の簡易サーバーを提供してシンクライント環境の普及を促進する。
【課題を解決するための手段】
【０００４】ノートパソコン、タブレットなどの電池を内装する複数の携帯端末と電池を搭載しない複数のミニパソコンなどを簡易サーバーとして収納し、収納する端末への給電電流をそれぞれ計測して、給電電流の合計が本サーバーに許容されるブレーカー遮断容量を超えるか否かを監視して、合計電流がブレーカー遮断容量を超えない範囲に給電する端末を制限する機能、電池を内装する携帯端末に対して端末へのそれぞれの給電電流から端末の電池残量を判定して残量不足の携帯端末に対して自動的または強制的に充電を行う機能、クライアント端末とネットワーク接続するためのＬＡＮ接続手段、ならびに盗難を防ぐ施錠やアンカー固定などのセキュリティ機能を備える。
【考案の効果】
【０００５】汎用のノートパソコン、タブレットなど、電池を内装する複数の携帯端末や電池を搭載しない複数のミニパソコンを簡易サーバーとして利用することにより、従来から使用していたノートパソコンなどの携帯端末やミニパソコンをそのままサーバーとして利用することが可能なため、投資の低減、保守メンテナンスの容易性などは専用サーバーとは比較にならない優位性を有するため、導入を躊躇していた中小企業においてもシンクライント環境の導入が促進される。
【考案を実施するための形態】
【０００６】図２に一般的なシンクライアント構成の基本的な概念図を示す。ＳＶはシンクライアント・サーバー、ＮＴはインターネットなどのネットワーク、ＣＬは複数のクライアント端末を示す。シンクライアントは最小限の要素で構成されるクライアント端末ＣＬから、ネットワークＮＴ経由でシンクライアント・サーバーＳＶ側のＯＳ・アプリケーション・データにアクセスして処理する方式であり、クライアント端末側では限られた処理しか行わず、アプリケーションの実行やデータの管理など殆どの処理をサーバー側に任せますから、クライアント端末は高い性能を必要としないため低価格で、アプリケーションやデータはサーバー側で一括管理するため、管理負担が軽減されるとともにクライアント端末からの情報漏洩やマルウエア感染の被害も防げます。このため、シンクライアントをテレワークワークで利用すれば、クライアント端末としてどんなＰＣを使用しても変わらない環境で業務を行うことが出来ます。クライアント端末側で行うのはネットワークへの接続と、キーボードやマウスでの入力、画面への出力のみで済みます。
【０００７】図１に本考案に基づくシンクライアント対応のサーバー本体１の構成概念図を示す。基本構成要素は高級な専用サーバーを使用することなく、汎用のパソコンやタブレットなどの電池を内装する複数のノートパソコン、タブレサットや電池を内装しない複数のミニパソコンなどを簡易サーバーＴＳＶとしてサーバー本体１の中に搭載することであり、搭載した全端末の消費電流をそれぞれ計測して、合計の消費電流が本サーバーに許容されるブレーカー遮断容量を超えるか否かを監視する機能と、電池を内装する携帯端末に対して電池残量を監視して残量不足の携帯端末に対して自動的または強制的に充電を行う処理はＣＣ回路で処理され、盗難を防ぐ施錠ＫＹやアンカー固定などのセキュリティ機能、クライアント端末とネットワーク接続するためのＬＡＮ接続機能ＬＮ、簡易サーバーの周囲温度が所定の温度より高くなった場合や低くなった場合に電池劣化を防ぐための、冷却機能Ｃ、加温機能Ｈを備えるとともに、回路電源はＰＷ回路で処理することにより汎用端末を搭載しているものの、本格的なサーバーとしての機能を備えている。
【０００８】図３に示すごとく、簡易サーバーＴＳＶへの給電、充電はＡＣ１００ＶをＴＳＶに適したＤＣ電圧に変換するＡＣアダプターＡＤにより行うが、それぞれのＡＤに対してはスイッチＴＲをＯＮして電流センサーＳＥを通して給電、充電電流値を測定し、スイッチＴｒをＯＮして継続的な給電、充電電流を行う。ＴＲをＯＮして測定された電流値を加算することにより、合計の消費電流が本サーバーに許容されるブレーカー遮断容量を超えるか否かを判定し、超えると判断される場合は超える端末に給電は行わず、警告表示を行う。ノートパソコン、タブレットなどの電池を内装する携帯端末に関しては測定した電流値から電池の充電状態を判定して、電池の残容量が少ない端末に対してはＴｒをＯＮして充電を行うとともに、所定時間間隔でＴＲ，Ｔｒを交互に切り替えて電池の充電状態を監視し、満充電に達した端末はＴｒをＯＦＦして充電を停止するなどの処理を行う。なお、端末への電流値の測定はＡＣ１００Ｖラインの電流に限ることは無く、簡易サーバーに給電するＤＣラインに微小抵抗を挿入して測定しても良い。
【０００９】簡易サーバーとシンクライアント端末とをＬＡＮで接続する手段としてはＷｉｆｉによる無線ＬＡＮと有線ＬＡＮが考えられます。図４はＷｉｆｉで接続する場合の構成概念を示し、安定した無線接続を実現するために中継器ＷＦを介してスイッチングハブＨＢにより簡易サーバーＴＳＶに接続している。電波環境が良好な場合には、サーバー本体１の筐体として電波の透過性に優れた素材を選定するか、大きな開口を設けるなどＬＡＮ接続のための機能対策によって簡易サーバーとクライアント端末を無線ＬＡＮを介して直接接続することが可能である。なお、携帯端末にはリチュウムイオン電池が搭載されているため、電池の一般的な動作温度は＋５℃〜＋３０℃と規定されており、この温度範囲を逸脱すると電池劣化を生じたり、充電を停止するなどの事象が生じるため、サーバーとしては加温、冷却機能が必須となります。このようにして、汎用のノートパソコン、タブレットなど、電池を内装する複数の端末や電池を搭載しない複数のミニパソコンなどを簡易サーバーとして利用するため、従来から使用していた汎用の端末を活用することが可能となり、サーバーへの投資額の低減、保守メンテナンスの容易性などは専用サーバーとは比較にならないほど優れ、導入を躊躇していた中小企業においてもシンクライント環境の導入が急速に促進される。
【実施例】
【００１０】１１台の汎用ノートＰＣ（縦１９．５ｃｍ  横１８．２ｃｍ  厚さ４．５ｃｍ）を簡易サーバーとして本体内に搭載し、図１に示すフル機能でシンクライアント・無停電簡易サーバーを構成し、サーバー本体はＷ９３３×Ｄ５３０×Ｈ５０５ｍｍサイズで、筐体は堅牢性を重視して鉄板で構成し施錠した。ＬＡＮ接続機能は筐体が鉄板であることを考慮して、中継器を介してスイッチングハブにより簡易サーバーに接続した。電池の温度劣化を防ぐ加温は発煙、発火の無いＰＴＣヒーターを、冷却はファンを装着した。無停電動作のための補助電池としてはリチュウムイオンの大型モバイ電池を搭載した。筐体に樹脂を採用すれば電波の透過性が向上して簡易サーバーとクライアント端末を無線ＬＡＮを介して直接接続することも可能であり、加温としてはヒートパイプを利用することも可能であるなど、外観、形状、ディメンジョン、機能、性能などに関しては本考案の趣旨を逸脱しない範囲で有れば種々変形実施が可能である。【００１１】シンクライアントは、端末に記憶装置を持たず、サーバー上にある仮想マシンをリモートから操作するためクライアント端末にはデータが残らず、たとえ紛失しても情報が流出する心配がありません。シンクライアントを導入することで、営業職は外出先からでも帰社しなくてもメールや営業日報、見積作成が可能となり、柔軟なワークスタイルを採ることができるようになってきました。また在宅勤務が可能となることでワークライフバランスの向上も実現することができるとともに、シンクライアントは飛躍的に利便性を向上させています。
【図面の簡単な説明】
【００１２】
【図１】本考案に基づくシンクライアント簡易サーバーの本体構成概念図を示す。
【図２】一般的なシンクライアント構成の基本的な概念図を示す。
【図３】簡易サーバーへの給電、充電構成概念図を示す。
【図４】簡易サーバーとシンクライアント端末をＷｉｆｉで接続する構成概念を示す。
【符号の説明】１        サーバー本体
ＴＳＶ    簡易サーバー
ＫＹ      施錠
ＬＮ      ＬＡＮ接続機能
ＣＣ      充電処理回路
ＳＥ      電流センサー
Ｃ        冷却機能
Ｈ        加温機能
ＰＷ      回路電源、補助電池
ＣＴ      本体管理・制御
ＳＶ      シンクライアント・サーバー
ＮＴ      ネットワーク
ＣＬ      クライアント端末
ＡＤ      ＡＣアダプター
ＴＲ      電流測定スイッチ
Ｔｒ      充電スイッチ
ＷＦ      中継器
ＨＢ      スイッチングハブ
【図１】
0003234735.tif 000003
【図２】
0003234735.tif 000004
【図３】
0003234735.tif 000005
【図４】
0003234735.tif 000006